(57)【要約】【課題】タイル外壁の簡単な補修方法を提供する。【解決手段】建物躯体の表面に接着剤でタイルを貼り付けてなるタイル外壁の補修方法は、タイル10の浮きを確認する確認工程a、浮きが確認されたタイルを含む浮き領域12の中で選択された選択タイル10a又は該選択タイルの一部10bを囲む一対の縦線18L，18Rと一対の横線18U，18Dに沿ってタイル外壁に切溝21L，21R、21U，21Dを形成する切溝形成工程b、切溝で囲まれた選択タイル及び選択タイルの一部を剥ぎ取る工程c、選択タイル及び選択タイルの一部を剥ぎ取った跡に形成された空隙27に接着剤28，30，32を介して補修タイル31を充填し固定するタイル充填工程dを有する。切溝形成工程では、一対の縦線と一対の横線に沿って形成する４つの切溝の少なくとも一つは、タイル外壁から建物躯体に向かうにしたがって空隙の中心に近づくように傾斜させた傾斜溝とする。【選択図】図１０
2013170397.tif 000002
【特許請求の範囲】
【請求項１】
建物躯体の表面に接着剤でタイルを貼り付けてなるタイル外壁の補修方法であって、
前記タイル（１０）の浮きを確認する確認工程（ａ）、
前記浮きが確認されたタイル（１１）を含む浮き領域（１２）の中で選択された選択タイル（１０ａ）又は該選択タイル（１０ａ）の一部（１０ｂ）を囲む一対の縦線（１８Ｌ，１８Ｒ）と一対の横線（１８Ｕ，１８Ｄ）に沿ってタイル外壁に切溝（２１Ｌ，２１Ｒ、２１Ｕ，２１Ｄ）を形成する切溝形成工程（ｂ）、
前記切溝で囲まれた前記選択タイル（１０ａ）及び前記選択タイルの一部（１０ｂ）を剥ぎ取る工程（ｃ）、
前記選択タイル（１０ａ）及び前記選択タイルの一部（１０ｂ）を剥ぎ取った跡に形成された空隙（２７）に接着剤（２８，３０，３２）を介して補修タイル（３１）を充填し固定するタイル充填工程（ｄ）を有し、
前記切溝形成工程（ｂ）において、前記一対の縦線（１８Ｌ，１８Ｒ）と前記一対の横線（１８Ｕ，１８Ｄ）に沿って形成する４つの切溝（２１Ｌ，２１Ｒ、２１Ｕ，２１Ｄ）の少なくとも一つは、前記タイル外壁から前記建物躯体に向かうにしたがって前記空隙（２７）の中心に近づくように傾斜させた傾斜溝とすることを特徴とするタイル外壁の補修方法。
【請求項２】
少なくとも前記一対の縦線に沿って形成する２つの切溝（２１Ｌ，２１Ｒ）を前記傾斜溝とすることを特徴とする請求項１のタイル外壁の補修方法。
【請求項３】
前記少なくとも一つの切溝の底部を前記建物躯体（１３）に進入させ、
前記建物躯体（１３）に侵入した切溝（２１Ｃ）に第１のアンカー（４２）を差し込むことを特徴とする請求項１又は２のいずれかのタイル外壁の補修方法。
【請求項４】
前記補修タイル（３１）の下に中間タイル（２９）を配置することを特徴とする請求項１〜３のいずれかのタイル外壁の補修方法。
【請求項５】
前記中間タイル（２９）を前記第１のアンカー（４２）によって支持することを特徴とする請求項４のタイル外壁の補修方法。
【請求項６】
前記中間タイル（２９）は中央にその表面と裏面を貫通する貫通孔（４３）を有し、
前記選択タイル（１０ａ）を剥ぎ取った後に露出した躯体表面にアンカーホール（４１）を形成し、
前記貫通孔（４３）を介して前記アンカーホール（４１）に第２のアンカー（４４）を配置することを特徴とする請求項４又は５のタイル外壁の補修方法。
【発明の詳細な説明】
【技術分野】
【０００１】
本発明は、タイル外壁を補修する方法に関する。
【背景技術】
【０００２】
建物の外壁を覆うタイルは、通常、建物の躯体（例えば、コンクリート）にモルタル（下地モルタル、敷モルタル、張付モルタル）を介して接着される。また、隣接するタイル間の隙間は、目地モルタルによって埋められる。したがって、施工後は見た目にも綺麗な外壁を構成している。
【０００３】
しかし、目地材の経年劣化や壁面に作用する鉛直方向の荷重等により、目地やタイルにクラックが発生し、それが更に発展するとタイルの背後にいわゆる“浮き”（剥離）を形成する。また、施工時における、躯体とモルタル、モルタル同士、モルタルとタイルの接着不良によっても、それらの境界に浮きが発生し得る。
【０００４】
ただし、目地やタイルにクラックが発生したからといって、そのこと自体がすぐにタイルの崩落に繋がる可能性は極めて低い。しかし、クラックを通じてタイル背後の浮きに侵入した水は、躯体コンクリートの鉄筋を腐食し、構造物の耐久性を著しく低下させる原因になる。また、地震等の外力を受けたときに浮きタイルが崩落することも十分に考えられる。
【０００５】
そこで、従来、タイルをハンマー等で打診し、その反響音をもってタイルの浮きを確認することが行われている。また、赤外線カメラを用いてタイルの浮きを確認する手法が特許文献１に開示されている。
【先行技術文献】
【特許文献】
【０００６】
【特許文献１】特開平０５−３１２７４５号公報
【０００７】
しかし、本発明者らが行った実験によれば、打診または赤外線カメラを使って浮きが確認されたタイルについて、その周辺目地にカッターで切り込みを入れた後、タイルに垂直な力を加えることによって剥ぎ取ったところ、確かにタイル背後に浮きが存在することは確認されたが、その大きさや発生箇所は様々であった。具体的に、大きさについては、浮きがタイル全体に広がっているものよりも、タイル背後の一部領域に浮きが発生しているものが多かった。また、発生箇所については、タイル裏足、裏足間のタイル背面とモルタルとの境界、または塗り重ねたモルタルの境界に浮きが見られた。そのため、タイルの剥ぎ取りに要した力もばらばらで、例えば、全面にわたって浮きが存在したタイルの剥ぎ取り力はほぼゼロであったが、タイル背後に部分的にのみ浮きが存在したタイルの剥ぎ取り力は浮きの面積等に応じて異なり、相当な割合のタイルは十分に自立できる程度の接着力（例えば、剥ぎ取り力が０．４Ｎ／ｍｍ２以上）を有していた。
【０００８】
また、本発明者らが行った別の研究によれば、タイルは、縦方向及び横方向に連続した一群のタイルについて、それを囲む縦方向と横方向に連続した格子状のクラックが発生した場合に崩落の危険が高く、単に縦方向又は横方向のクラックが存在するだけでは容易に崩落するものでない、ことが確認された。
【発明の概要】
【発明が解決しようとする課題】
【０００９】
そこで、本発明は、浮きが確認された外壁部分（浮き領域）のタイルをすべて剥ぎ取って交換するのではなく、浮き領域におけるタイルを部分的に剥ぎ取って補修し、その補修をもって周囲のタイルを同時に補強する新たな補修方法を提供することを目的とする。
【課題を解決するための手段】
【００１０】
この目的を達成するために、本発明は、建物躯体の表面に接着剤でタイルを貼り付けてなるタイル外壁の補修方法に関し、タイル（１０）の浮きを確認する確認工程（ａ）、浮きが確認されたタイル（１１）を含む浮き領域（１２）の中で選択された選択タイル（１０ａ）又は該選択タイル（１０ａ）の一部を囲む一対の縦線（１８Ｌ，１８Ｒ）と一対の横線（１８Ｕ，１８Ｄ）に沿ってタイル外壁に切溝（２１Ｌ，２１Ｒ、２１Ｕ，２１Ｄ）を形成する切溝形成工程（ｂ）、切溝で囲まれた選択タイル（１０ａ）及び選択タイルの一部（１０ｂ）を剥ぎ取る工程（ｃ）、選択タイル（１０ａ）及び選択タイルの一部（１０ｂ）を剥ぎ取った跡に形成された空隙（２７）に接着剤（２８，３０，３２）を介して補修タイル（３１）を充填し固定するタイル充填工程（ｄ）を有する。切溝形成工程（ｂ）では、一対の縦線（１８Ｌ，１８Ｒ）と一対の横線（１８Ｕ，１８Ｄ）に沿って形成する４つの切溝（２１Ｌ，２１Ｒ、２１Ｕ，２１Ｄ）の少なくとも一つは、タイル外壁から建物躯体に向かうにしたがって空隙（２７）の中心に近づくように傾斜させた傾斜溝とする。
【発明の効果】
【００１１】
この補修方法によれば、浮き領域に含まれるすべてのタイルを剥ぎ取る必要がない。そのため、実際に剥ぎ取るべきタイルの数が著しく減少するとともに、それに伴って廃材の発生が著しく減少する。また、選択タイル又は選択タイルの一部を剥ぎ取った後に形成された空隙に充填した部材（補修タイル、接着剤）が楔のごとく機能し、選択タイル又は選択タイルの一部を囲む周囲のタイルを安定的に保持する。
【図面の簡単な説明】
【００１２】
【図１】本発明に係るタイル補修方法の工程を示す図。
【図２】外壁タイル上に確認された浮き領域を示す図。
【図３】外壁タイルの断面図で浮きの位置を例示する図。
【図４】浮き領域に設定された小領域を示す図。
【図５】浮き領域に設定された小領域と該小領域に含まれる選択タイルの周囲に形成した切溝を示す図。
【図６】他の形態の浮き領域を示す図。
【図７】図６に示す浮き領域に設定される小領域を示す図。
【図８】他の形態の浮き領域とそこに設定される小領域を示す図。
【図９】選択タイルを含むタイル外壁の縦断面図。
【図１０】選択タイルを含むタイル外壁の横断面図。
【図１１】選択タイルを剥ぎ取る状態を示す図。
【図１２】選択タイルを剥ぎ取った跡に形成されるボイドの縦断面図。
【図１３】選択タイルを剥ぎ取った跡に形成されるボイドを横断面図。
【図１４】選択タイルを剥ぎ取った跡の躯体に形成されたアンカーホールを示す断面図。
【図１５】選択タイルを剥ぎ取った跡に接着剤、中間タイル、補修タイルを貼り付けるプロセスを説明するための縦断面図。
【図１６】中間タイルの斜視図と横断面図。
【図１７】補修後のタイル外壁の横断面図。
【図１８】中間タイルの他の形態を示す縦断面図。
【図１９】左右に隣接する２枚の選択タイルの一部を剥ぎ取る他の方法を説明するための図。
【発明を実施するための形態】
【００１３】
以下、添付図面を参照して本発明のタイル外壁の補修方法を説明する。
【００１４】
図１は、本発明に係るタイル外壁の補修方法の工程図である。図示するように、本発明のタイル外壁の補修方法は、概略、診断工程と補修工程からなる。
【００１５】
診断工程は、建物のタイル外壁に剥離箇所（浮き）が有るか否か確認するもので、一般的には、例えば、打診法（直接診断法）、赤外線法（間接診断法）によって行われる。打診法は、建物の外壁に沿って組み立てた足場、建物の屋上から吊り下げたスカイチェア若しくはゴンドラ、又は高所作業車に取り付けたゴンドラに乗った作業員が一枚一枚のタイルをハンマー等の専用工具で打診してその反響音からタイルの浮きを確認するものである。赤外線法は、建物の外壁を赤外線カメラで撮影し、外壁の浮き（外壁の背後に存在する空隙、水等の存在）を原因とするタイル表面の温度差情報からタイルの浮きを確認するものである。
【００１６】
図２は、タイル１０で被覆された建物外壁（タイル外壁）Ｗの一部を示し、そこには診断工程で剥離箇所（浮き）が確認された浮きタイル１１が網点で表示してあり、それら浮きタイル１１を囲む浮き領域１２が点線で囲って示してある。図面上、説明を簡略化するために、浮き領域１２は長方形で表されているが、実際の浮き領域は種々の平面形状となって表れる。
【００１７】
浮きの大きさ（二次元の広がり）や発生箇所は様々である。例えば、図３に示すように、コンクリートからなる建物躯体１３の表面に接着剤（例えば、下地モルタル１４，張付モルタル１５）でタイル１０を貼り付けてなるタイル外壁Ｗの場合、タイル（一枚のタイル）下面全域に亘って存在する浮き１６ａもあれば、タイルの一部領域に存在する浮き１６ｂ、１６ｃ、１６ｄもある。浮きが発生する箇所も様々で、浮きは、タイル１０とモルタル（張付モルタル１４）との境界（符号１６ｂ、１６ｃで示す浮き）、張付モルタル１４と下地モルタル１５の境界（符号１６ｄで示す浮き）、モルタル（下地モルタル１５）とコンクリートの躯体１３との境界（符号１６ａで示す浮き）に発生する。
【００１８】
補修工程は、浮き領域１２に含まれるすべてのタイルを補修するのではなく、図４に示すように、タイル施工方法として、タイル間の各目地が上下方向に直線状に連続して形成される芋目地（通し目地）が採用されている場合、浮き領域１２に対して縦３行×横３列の小領域１７を設定する。しかし、図６に示すように、浮き領域１２は必ずしも縦３Ｍ行、横３Ｎ行（Ｍ，Ｎ：正の整数）の格子配置（タイル配置）で構成されるものでない。その場合、図７に示すように、浮き領域１２が小領域１７で埋められるように、小領域１７を設定する。なお、図２，７では、複数の小領域１７が格子状に設定されているが、小領域１７は非格子状（上下左右の隣接する小領域が上下又は左右にずれている）に設定してもよい（図８参照）。
【００１９】
次に、各小領域１７の中で、剥ぎ取るべき領域、すなわち補修領域を選択する。図２、４に示す実施例では、小領域１７の中央に位置するタイル１０ａを補修領域としている。以後、タイル１０ａを選択タイルという。
【００２０】
選択タイルの補修について説明する。まず、選択タイル１０ａを剥ぎ取るにあたって、図２に示すように、選択タイル１０ａを囲む、左右の上下方向に伸びる縦線（目地１８Ｌ，１８Ｒ）と上下の水平方向に伸びる縦線（目地１８Ｕ，１８Ｄ）にカッター（図示せず）で切溝２１Ｌ，２１Ｒ、２１Ｕ，２１Ｄを入れる。図９に示すように、上側切溝２１Ｕは、選択タイル１０ａの背後に存在するモルタル（張付モルタル１４と下地モルタル１５）をほぼ貫通して躯体１３の近くまでに達していることが好ましい。下側切溝２１Ｄは、モルタルを貫通して、下端（底）が躯体１３に進入していることが好ましい（以下、躯体１３に進入した切溝部分を「躯体切溝２１Ｃ」という。）。躯体１３に進入する深さは、約５〜１０ｍｍとすることが好ましい。図１０に示すように、左右の切溝２１Ｌ，２１Ｒは、タイル外壁Ｗから建物躯体１３に向かうにしたがって選択タイル１０ａの中心に近づくように傾斜させた傾斜溝とする。
【００２１】
次に、図１１に示すように、選択タイル１０ａの表面に剥取用アタッチメント２２を接着剤で接着して固定する。そして、接着剤の乾燥後、アタッチメント２２にボルト２３を連結し、専用の剥取用加圧装置２４でボルト２３に引抜力２５を加えて、選択タイル１０ａを剥ぎ取る。なお、図１１に示す剥取用アタッチンメントは単なる一例であって、例えば、傾斜溝（切溝２１Ｌ，２１Ｒ）に斜めに挿入できる爪を剥取用アタッチメントに設けてもよい。この場合、剥取用アタッチンメントを接着剤でタイルに接着する必要がないため、選択タイルの剥ぎ取りに要する時間を短縮できる。
【００２２】
例えば、選択タイルの全域又はほぼ全域に亘って広がる大きな浮きが存在する場合、選択タイルは実質的に剥ぎ取り力がゼロで簡単に剥ぎ取ることができる。剥取力がゼロでない場合、一般には、図１２に示すように、タイル１０ａはその背後にモルタル２６が付着した状態で剥ぎ取られる。そのため、躯体側には、タイル１０ａよりも大きなタイル跡（空隙、ボイド）２７が形成される。また、浮きの位置によってモルタルの分離位置が異なり、一部のモルタル２６’は躯体に付着したまま残る。したがって、補修にあたっては、後に塗布される接着剤と躯体との接着力を確保するために、躯体１３上に残存するモルタル２６’を除去して躯体表面を綺麗に清掃することが好ましい（図１３参照）。
【００２３】
次に、図１４に示すように、タイル跡（ボイド）２７に露出した躯体１３の中央（ボイド底面）に所定深さのアンカーホール４１をドリルで形成する。アンカーホール４１の深さは約５〜１０ｍｍとすることが好ましい。
【００２４】
次に、図１５（ａ）に示すように、ボイド底面に接着剤２８を塗布する。このとき、接着剤としては、変成シリコーン系接着剤が好適に利用できる。接着剤に代えてモルタルを接着剤及び充填材として使用してもよい。このとき、ボイド底面の中央アンカーホール４１と躯体切溝２１Ｃにも接着剤２８を充填する。
【００２５】
次に、図１５（ａ）に示すように、躯体切溝２１Ｃに下部アンカー４２を差し込む。下部アンカー４２は、棒状又は板状の金属からなるピン又はプレートである。この金属には、耐食性の金属、例えばステンレスを用いることが好ましい。躯体切溝２１Ｃに差し込む下部アンカー４２の数は一つであってもよいし、複数であってもよい。
【００２６】
次に、図１５（ｂ）に示すように、接着剤２８の上に中間タイル２９を張り付ける。中間タイル２９は、タイル１０ａの大きさに応じた縦横寸法のものが用意される。厚さの異なる複数の中間タイル２９を用意し、タイル跡２７の深さに応じて適当な厚みの中間タイルを選択してもよい。中間タイル２９はその中央に表面と裏面を貫通する、中央アンカー用の貫通孔４３を有する。図１６に示すように、中間タイル２９の縦方向の端部は、傾斜溝２１Ｌ，２１Ｒの傾斜に対応して、表面から裏面に向かって次第に内側（タイル中央部）に傾斜した傾斜端面２９Ｌ，２９Ｒとしてもよい。
【００２７】
次に、図１５（ｂ）、（ｃ）に示すように、中間タイル２９の中央アンカー用貫通孔４３と躯体１３の中央アンカーホール４１に中央アンカー４４を差し込む。
【００２８】
次に、中間タイル２９の上に接着剤３０を塗布する。接着剤３０は、接着剤２８と同じであってもよい。
【００２９】
次に、図１５（ｃ）、（ｄ）に示すように、補修タイル３１の裏面に接着剤３２を塗布し、接着剤３２を塗布した補修タイル３１を中間タイル２９の上に貼り付ける。接着剤３２は、接着剤２８と同じであってもよい。ただし、補修タイル３１の背面に接着剤３２を塗布することは必須ではない。
【００３０】
最後に、タイル２９，３１の周囲の空隙（切溝２１Ｌ，２１Ｒ，２１Ｕ，２１Ｄに相当する箇所）に接着剤３４を充填する。接着剤３４は、接着剤２８と同じであってもよい。
【００３１】
このようにしてタイルが交換されることにより、浮き領域１２のタイルは補強される。具体的に説明すると、図５に示すように、タイル１０ａを剥ぎ取るにあたって、タイル１０ａを囲む周囲の目地（タイル１０ａ縁に沿ってそこから上下左右に伸びる目地分）にカッターを入れて切溝が形成される。通常カッターには円盤形回転カッターが使用され、その場合、切溝２１は、上下左右の隣接タイルの間の目地にも及ぶ。そのため、補修対象タイルのタイル跡や目地に充填された接着剤は、補修対象タイルに隣接するタイルをも補強する。したがって、一つのタイルを補強すると、そのタイル１０ａを含む小領域１７の一群のタイル群４０が一体的に補強されることになる。結果、浮き領域１２の中の選択タイル１０ａを補強すれば、その周辺の非選択タイルを含めた一群のタイル群４０が補強されるとともに、補修タイル３１が躯体１３に対するアンカーとなって、浮き領域の全体を躯体１３に対して安定的に保持させる。
【００３２】
また、本実施形態では、左右の切溝２１Ｌ，２１Ｒが、躯体１３に向かうにしたがって選択タイル１０ａの中心に近づくように斜めに形成されているので、そのため、タイル跡（ボイド）２７に充填された部材（中間タイル２９，補修タイル３１，接着剤２８，３０で構成される一塊の部材）が、あたかも楔のように機能し、補修タイル３１の周囲のタイル群を確実に躯体１３上に保持する。したがって、補修タイル３１を囲むタイル又はタイル群が抜け落ちようとしても、楔となる充填部材によってその抜け落ちが防止される。なお、以上の説明では、傾斜溝２１Ｌ，１２Ｒはその下端を躯体１３までとしたが、その下端部を躯体１３内に進入させ、そこに形成された傾斜溝に上述したアンカー４２と同様のアンカー（ピン又はプレート）を挿入してもよい。この場合、上述した楔効果が更に増し、タイル群４０を更に安定して保持できる。
【００３３】
さらに、中間タイル２９、補強タイル３１、およびこれら中間タイル２９と補強タイル３１によって支持される周囲のタイルを含むタイル群４０が、接着剤２８，３０だけでなく、下部アンカー４２と中央アンカー４４によって一体的に支持される。したがって、タイル群４０が時間の経過と共に次第に垂れ下がるということがない。
【００３４】
このように、上述した実施形態のタイル外壁の補修方法によれば、浮き領域１２に含まれるすべてのタイルを剥ぎ取る必要がない。そのため、実際に剥ぎ取るべきタイルの数は著しく減少するとともに、それに伴って廃材の発生が著しく減少する。また、中間タイル２９を用いることにより、剥ぎ取ったタイルの後にできた空間（ボイド２７）の大部分をモルタル又は接着剤で埋める必要が無い。そのため、モルタルや接着剤の乾燥に要する時間が大幅に減少し、施工時間が短縮される。さらに、選択タイル１０ａを囲む４本の線又は目地の少なくとも一つについてそこに形成する切溝を斜めにしているため、タイル跡に充填した部材が楔のように機能し、これにより周囲のタイルを躯体に安定に止める。さらにまた、下部アンカー又は中央アンカー若しくはそれらの両方によって、補強タイルだけでなく、その周囲に位置するタイルが安定的に支持される。そして、剥ぎ取ったタイルの後にできた空間（ボイド２７）が深い場合、複数の中間タイルをボイド２７に重ねて充填してもよい。この場合、すべての中間タイルの中央アンカー用貫通孔と躯体１３の中央アンカーホールに中央アンカーを差し込む。
【００３５】
なお、中間タイル２９と接着剤２８との接着力、また、中間タイル２９とその上に塗布される接着される接着剤３０との接着を良好に保つために、図１８に示すように、中間タイル２９の表面又は裏面若しくは両面にタイル裏足４５，４６又はそれに相当する突起又は窪み（突条、溝状、所定の間隔をあけて格子状に点在する突起又は窪み）を形成してもよい。また、中間タイル２９の表面と裏面に裏足４５，４６を設ける場合、それら裏足３２，３３の位置を違えてもよいし、補修された状態で中間タイル表面側（補修タイル側）裏足４６が補修タイル裏足４７間に入るようにしてもよい。
【００３６】
また、以上の説明では、選択タイル１０ａの左右両側に位置する目地に入れる切溝を傾斜溝としたが、選択タイル１０ａを囲む４本の切溝のうちの少なくとも一つが傾斜溝であればよい。また、選択タイル１０ａの上下に形成する切溝２１Ｕ，２１Ｄも傾斜溝としてもよい。
【００３７】
さらに、以上の説明では、タイル跡２７を中間タイル２９と接着剤（充填材）で充填するものとしたが、中間タイルを用いることなく、接着剤又はモルタルを充填材として充填してもよい。
【００３８】
さらにまた、以上の説明では、下部アンカーは真っ直ぐなピン又はプレートで形成するものとしたが、これらピン又はアンカーの上端部を中間タイル側に向けて折り曲げてＬ字形状とし、その折り曲げ部を中間タイルの表面側角部に係合させて、該中間タイルを確実に支持するようにしてもよい。この場合、下部アンカーは、中間タイルを貼り付けた後、中間タイルの周囲に充填された接着剤を介して切溝に挿入する。
【００３９】
そして、以上の説明では、選択タイル１０ａの下縁に沿った目地に形成する切溝２１Ｄを躯体１３に進入させ、そこにアンカー４２を配置したが、躯体１３に進入させる切溝はそれ以外の上側又は左右の切溝であってもよく、その場合、それらの切溝にピン又はプレートを挿入する。この場合も、浮き領域に適当な間隔をあけてアンカーが配置されることになり、補修後のタイルの垂れ下がりが全体として防止される。
【００４０】
なお、以上の説明では、タイルが芋目地配置されている場合を例にとって説明したが、図１９に示すように、破れ目地配置されている場合、縦方向の切溝５１Ｌ，５１Ｒについては、上述のように一つのタイルを囲む上下左右の目地に切溝を入れるのではなく、左右に隣接する２つのタイル１０ｂ、１０ｂ（選択タイル）の縦方向中央線に沿ってそれぞれ縦方向の切溝を入れ、左側の選択タイル１０ｂの右半分と右側の選択タイル１０ｂの左半分を外壁から剥ぎ取ってもよい。この場合、水平方向の切溝５１Ｕ，５１Ｄについては、選択タイル１０ｂの上下に位置する目地に設ける。
【符号の説明】
【００４１】
Ｗ：外壁（タイル外壁）
１０：タイル
１０ａ：選択タイル
１１：浮きタイル
１２：浮き領域
１３：建物躯体
１４：張付モルタル
１５：下地モルタル
１６ａ，１６ｂ，１６ｃ，１６ｄ：浮き
１７：小領域
１８Ｌ，１８Ｒ：目地
１８Ｕ，１８Ｄ：目地
２１Ｌ，２１Ｒ：切溝（傾斜溝）
２１Ｕ，２１Ｄ：切溝
２２：アタッチメント
２３：ボルト
２４：引き抜き装置
２５：引抜力
２６：モルタル
２６’：残存モルタル
２７：タイル跡（空間、ボイド）
２８：接着剤（充填材）
２９：中間タイル
３０：接着剤
３１：補修タイル
３２：接着剤
３３：裏足
４１：アンカーホール
４２：下部アンカー
４３：中央アンカー用貫通孔
４４：中央アンカー
【図１】
2013170397.tif 000003
【図１６】
2013170397.tif 000004
【図２】
2013170397.tif 000005
【図３】
2013170397.tif 000006
【図４】
2013170397.tif 000007
【図５】
2013170397.tif 000008
【図６】
2013170397.tif 000009
【図７】
2013170397.tif 000010
【図８】
2013170397.tif 000011
【図９】
2013170397.tif 000012
【図１０】
2013170397.tif 000013
【図１１】
2013170397.tif 000014
【図１２】
2013170397.tif 000015
【図１３】
2013170397.tif 000016
【図１４】
2013170397.tif 000017
【図１５】
2013170397.tif 000018
【図１７】
2013170397.tif 000019
【図１８】
2013170397.tif 000020
【図１９】
2013170397.tif 000021